(57)【要約】【課題】  ダストカップの着脱と連動してフィルターが回転しながら、その外面に集積された塵埃を簡単に除去させることができ、簡単な構成で製造コストを低減できるのみならずその組立分解も簡便なサイクロン集塵装置のフィルター組立体が提供される。【解決手段】  本発明は、吸込まれた空気に含まれる塵埃を遠心分離させ回収する真空掃除機のサイクロン集塵装置内に設けられ、排気ポートを介して気流に含まれて浮遊する塵埃をフィルタリングするフィルター組立体に関し、前記排気ポートについて回転自在に結合され、外周面に設けられた吸気グリル部、及び排気ポートと連通する排気口を備える回転フィルターと、回転フィルターを回転させ、吸気グリル部にフィルタリングされ残存する塵埃を除去するフィルター回転ユニットとを含む。【選択図】      図４ 
2004275720.tif 000002
【特許請求の範囲】
【請求項１】
吸込まれた空気に含まれる塵埃を遠心分離させ回収する真空掃除機のサイクロン集塵装置内に設けられ、排気ポートを介して排出される気流に含まれて浮遊する塵埃をフィルタリングするフィルター組立体において、
前記排気ポートについて回転自在に結合され、外周面に設けられた吸気グリル部、及び前記排気ポートと連通する排気口を備える回転フィルターと、
前記回転フィルターを回転させ、前記吸気グリル部にフィルタリングされ残存する塵埃を除去するフィルター回転ユニットとを含んでなる真空掃除機のサイクロン集塵装置用フィルター組立体。
【請求項２】
前記フィルター回転ユニットは、
前記回転フィルターの回転軸を中心に下向きに開口された結合部と、
前記サイクロン集塵装置の着脱自在なダストカップの底面から前記回転フィルターの結合部と作用可能に突出延長された作動バーと、
前記作動バーと前記結合部との間に介在され、前記ダストカップの着脱と連動して前記回転フィルターを回転させる回転駆動部とを含むことを特徴とする請求項１に記載の真空掃除機のサイクロン集塵装置用フィルター組立体。
【請求項３】
前記回転駆動部は、
前記作動バーの長手方向の外面に沿ってスクリュー状に突出された作動突起及び陥没された作動グルーブのうちいずれか一側、及び
前記結合部の内周縁に前記作動突起及び前記作動グルーブのうちいずれか一側とかみ合うよう形成された被動溝及び被動突起のうちいずれか一側とを含んでなる請求項２に記載の真空掃除機のサイクロン集塵装置用フィルター組立体。
【請求項４】
前記回転フィルターの結合部から前記作動バーに向かって突出され、半径方向に外向きに拡径された作動バーガイドをさらに含むことを特徴とする請求項２または３に記載の真空掃除機のサイクロン集塵装置用フィルター組立体。
【請求項５】
前記排気ポートと前記回転グリルとの間に介在され、前記回転グリルを回転自在に支持すとる回転支持部をさらに含むことを特徴とする請求項１に記載の真空掃除機のサイクロン集塵装置用フィルター組立体。
【請求項６】
前記回転グリルの内部及び外部のうちいずれか一側に置かれ、前記回転グリルの回転時、前記吸気グリル部にフィルタリングされ残存する塵埃を除去するブラシ部をさらに含むことを特徴とする請求項１または５に記載の真空掃除機のサイクロン集塵装置用フィルター組立体。
【請求項７】
前記ブラシ部は、前記回転支持部に形成されることを特徴とする請求項６に記載の真空掃除機のサイクロン集塵装置用フィルター組立体。
【請求項８】
前記回転グリルの吸気グリル部に設けられるフィルタリング部材をさらに含むことを特徴とする請求項１に記載の真空掃除機のサイクロン集塵装置用フィルター組立体。
【発明の詳細な説明】
【技術分野】
【０００１】
本発明は真空掃除機のサイクロン集塵装置に係り、特にサイクロン集塵装置内に設けられ遠心分離される塵埃をフィルタリングした後排気させるサイクロン集塵装置用フィルター組立体に関する。
【背景技術】
【０００２】
真空掃除機のサイクロン集塵装置内に設けられるフィルターは、掃除機本体に排出される空気に含まれた微細なホコリをフィルタリングさせる機能を行なう。通常、このようなフィルターにはフィルタリングされた塵埃がその外面に次第に集積されるため、周期的に掃除すべき不便があった。従って、最近はサイクロン集塵装置のダストカップの開閉と連動して、フィルターの外面に集塵された塵埃を除去させうるフィルター掃除機構が提案されている。
【０００３】
図１は、このような従来のフィルター掃除機構が設けられたサイクロン集塵装置の縦断面図であり、図２は図１のフィルター掃除機構の斜視図であって、日本特開２００２-３１５７０１号に開示された図面である。サイクロン集塵装置１は、図１に示した通り、吸気ポート１１１と排気ポート１２１が形成されたサイクロンボディ１１０、サイクロンボディ１１０に着脱自在に結合されるダストカップ１０３、及びサイクロンボディ１１０の排気ポート１２１に設けられダストカップ１０３内に配されるフィルター１３０を備える。
【０００４】
サイクロンボディ１１０は、塵埃分離室１１５を形成する筒結合部１２５と、塵埃分離室１１５からエルボ状に延びた連結管１１３を備える。塵埃分離室１１５には斜線方向に外向きに開口された吸気ポート１１１と、上向きに開口された排気ポート１２１が設けられている。吸気ポート１１１は、連結管１１３の内部と連通し、連結管１１３の末端には真空掃除機の塵埃吸込部(図示せず)を有する吸入管１０７が結合される。排気ポート１２１には真空掃除機の掃除機本体(図示せず)に連結されたフレキシブル管１０９が結合される。
【０００５】
サイクロンボディ１１０の筒結合部１２５は下向きに開口され、上向き開口を有する筒状のダストカップ１０３が収容される。塵埃分離室１１５の筒結合部１２５とダストカップ１０３の開口外面との間には気密維持のためのガスケット１４１が介在される。一方、ダストカップ１０３はその下部外面からサイクロンボディ１１０の連結管１１３に向かって突出されたフック１０４を備える。このフック１０４に対応する連結管１１３の外面にはフック溝１１４が設けられ、フック１０４はフック溝１１４について上下方向にかみ合い結合可能である。
【０００６】
このように塵埃分離室１１５の下部に結合されたダストカップ１０３内には塵埃分離室１１５の排気ポート１２１に結合されたフィルター１３０が収容される。フィルター１３０は上向きに開口された円筒形を有し、その外周面に複数の通気窓が形成されている。そして、通気窓の外面には多数の微細な通気孔を有する網状体１３５が設けられている。網状体１３５は排気される空気に含まれた微細な塵埃をフィルタリングさせる役割を果たす。
【０００７】
一方、このようなサイクロン集塵装置に装着された従来のフィルター掃除機構１５０は、図２に示した通り、フィルター１３０の外面を包む塵埃除去リング１５１、塵埃除去リング１５１を弾性的に下向きに加圧する弾性バネ１５５、及び塵埃除去リング１５１をフィルター１３０の上部に位置決めするスライダ１６１とロッキングリバー１７１を備える。サイクロンボディ１１０の連結管１１３とダストカップ１０３との間にはスライダ１６１の上下摺動のための案内溝部１５７が形成されている。
【０００８】
スライダ１６１は塵埃除去リング１５１の外面から下向に折曲延長され、案内溝部１５７内に上下摺動自在に収容される。このスライダ１６１はダストカップ１０３の突起溝(図示せず)とかみ合う結合突起１６２を備え、これら結合突起１６２と突起溝の作用により、ダストカップ１０３はスライダ１６１と一体に摺動自在である。すなわち、スライダ１６１のスライディングと連動して、ダストカップ１０３はサイクロンボディ１１０について分離結合される。また、スライダ１６１には、その一側長手方向の縁部に一定間隔を開けて陥没された一対のロッキング溝１６５、１６６を備える。
【０００９】
一方、ロッキングリバー１７１は、スライダ１６１のロッキング溝１６５、１６６と作用するロッカ１７２及びユーザが操作可能な操作部１７４を備える。このようなロッキングリバー１７１は、案内溝部１５７に設けられた回転軸１７６を中心に回転し、ロッカ１７２をスライダ１６１のロッキング溝１６５、１６６と結合させる。そのため、ロッキングリバー１７１の外側にはロッカ１７２をロッキング溝１６５、１６６に向かって弾性的に加圧するロッカバネ１８１が設けられている。
【００１０】
かかる構成により、従来のフィルター掃除機構１５０を備えるサイクロン集塵装置１００では、ロッキングリバー１７１の操作部１７４を押してそのダストカップ１０３を取り外せる。すると、取り外されるダストカップ１０３と連動してフィルター掃除機構１５０が作動される。すなわち、ロッキングリバー１７１の操作部１７４を押して回転軸１７６を中心に回転させれば、ロッカ１７２がスライダ１６１のロッキング溝１６５、１６６から外向きに離脱される。この際、圧縮され弾性力を保有している弾性バネ１５５が膨張しつつダストカップ１０３を取り外すと共に、塵埃除去リング１５１とスライダ１６１が下向きスライディングする。
【００１１】
この際、下向きの塵埃除去リング１５１は、フィルター１３０の外面に集積された塵埃を掃きながらスライディングし、これにより掃かれる塵埃はダストカップ１０３内に落下して蓄積される。すると、ユーザはダストカップ１０３の突起溝とスライダ１６１の結合突起１６２の相互かみ合いを解除させた後、ダストカップ１０３内に回収されたゴミ及び塵埃を除去させうる。一方、ゴミ及び塵埃を除去したダストカップ１０３は、前述した逆順に従って上向きに加圧してサイクロンボディ１１０の筒結合部１２５に結合可能である。
【００１２】
ところが、このような従来のサイクロン集塵装置１００のフィルター掃除機構１５０では、フィルター１３０の外面にフィルタリングされた塵埃の量が多い場合、塵埃除去リング１５１の移動が妨害され、その塵埃を除去するための機能をろくに行なえないという問題がある。その場合、ユーザが手作業でフィルター１３０の外面に付着された塵埃を除去し、塵埃除去リング１５１が円滑に移動できるようにする手入れが必要とされるため不便である。また、従来のサイクロン集塵装置１００のフィルター掃除機構１５０では、塵埃除去リング１５１をフィルター１３０の外面に昇降させるための複雑な構成、すなわちスライダ１６１、ロッキングリバー１７１、及びロッカバネ１８１を必然的に具備すべきため製造コストがアップし、組立分解が困難な問題がある。さらに、従来のサイクロン集塵装置１００のフィルター掃除機構１５０には、スライダ１６１の上下摺動のための案内溝部１５７をサイクロンボディ１１０の連結管１１３とダストカップ１０３との間に形成しなければならないやめ、複雑な構造を有する高価な金型製作に伴う費用がアップする問題も抱えている。
【特許文献１】日本特開２００２−３１５７０１号
【発明の開示】
【発明が解決しようとする課題】
【００１３】
本発明は前述した従来の問題点を解決するために案出されたもので、その目的はフィルターを回転させその外面に集積される塵埃を簡単に除去できるようにする真空掃除機のサイクロン集塵装置用フィルター組立体を提供することにある。
【００１４】
本発明の他の目的は、簡単な構成で製造コストを低減できるのみならず、その組立分解も簡便な真空掃除機のサイクロン集塵装置用フィルター組立体を提供することにある。
【００１５】
本発明のさらに他の目的は、ダストカップ及びサイクロンボディの連結管との間に案内溝部が不要なフィルター組立体を提供して、真空掃除機のサイクロン集塵装置を簡単な金型で容易に製造できるようにする。
【課題を解決するための手段】
【００１６】
前述した目的は、吸込まれた空気に含まれる塵埃を遠心分離させ回収する真空掃除機のサイクロン集塵装置内に設けられ、排気ポートを介して排出される気流に含まれて浮遊する塵埃をフィルタリングするフィルター組立体において、前記排気ポートについて回転自在に結合され、外周面に設けられた吸気グリル部、及び前記排気ポートと連通する排気口を備える回転フィルター、及び前記回転フィルターを回転させ、前記吸気グリル部にフィルタリングされ残存する塵埃を除去するフィルター回転ユニットを含んで構成された真空掃除機のサイクロン集塵装置用フィルター組立体により達成される。
【００１７】
ここで、前記フィルター回転ユニットは、前記回転フィルターの回転軸を中心に下向きに開口された結合部と、前記サイクロン集塵装置の着脱自在なダストカップの底面から前記回転フィルターの結合部と作用自在に突出延長された作動バー、及び前記作動バーと前記結合部との間に介在され、前記ダストカップの着脱と連動して前記回転フィルターを回転させる回転駆動部を含んで構成することが望ましい。
【００１８】
この際、前記回転駆動部は、前記作動バーの長手方向の外面に沿ってスクリュー状に突出された作動突起及び陥没された作動グルーブのうちいずれか一側、及び前記結合部の内周縁に前記作動突起及び前記作動グルーブのうちいずれか一側とかみ合うよう形成された被動溝及び被動突起のうちいずれか一側を含んで簡単に構成可能である。
【発明の効果】
【００１９】
以上述べた通り、本発明によればダストカップの着脱と連動してフィルターが回転し、これによりそれ自体的にまたは別のブラシを使用してその外面に集積された塵埃を簡単に除去させ得る真空掃除機のサイクロン集塵装置用フィルター組立体が提供される。
【００２０】
本発明のサイクロン集塵装置用フィルター組立体は、簡単な構成で製造コストを低減できるのみならずその組立分解も簡便である。そして、ダストカップ及びサイクロンボディの連結管との間に案内溝部が省かれるので、その製作が簡便である。
【発明を実施するための最良の形態】
【００２１】
以下、添付した図面に基づき本発明の望ましい実施例をさらに具体的に説明する。
【００２２】
図３は、本発明に係るフィルター組立体が装着されたサイクロン集塵装置の部分断面図である。同図によれば、本フィルター組立体５０が装着されたサイクロン集塵装置１は、吸気ポート１３と排気ポート２３が形成されたサイクロンボディ１０、サイクロンボディ１０に着脱自在に結合されるダストカップ３１、及びサイクロンボディ１０の排気ポート２３に設けられダストカップ３１内に配されるフィルター組立体５０を備える。
【００２３】
サイクロンボディ１０は、排気ポート２３が形成された上部胴体２１と吸気ポート１３が形成された下部胴体１１から構成され、これら上下部胴体２１、１１は複数のネジ４１で締結される。上部胴体２１に上向きに開口された排気ポート２３には、排出側結合管２５が上向きに延長されている。この排出側結合管２５は、真空掃除機の掃除機本体(図示せず)に連結されたフレキシブル連結管４７に結合される。
【００２４】
下部胴体１１は、下向きに開口された吸気ポート１３と、吸気ポート１３と並んで下向きに開口された筒結合部１７を備える。吸気ポート１３には吸気側結合管１５が下向きに延長されている。この吸気側結合管１５は、真空掃除機の塵埃吸込部(図示せず)を有する吸入管４９が結合される。そして、筒結合部１７の外面にはダストカップ３１の結合縁部３３を収容する結合リブ４３が形成されている。この結合リブ４３には水平方向に切り取られた結合スリット４５が設けられている。
【００２５】
ダストカップ３１は、上向きに開口された円筒形であって、従来のダストカップ(図１の１０３)とは違って、スライダ用案内溝部(図１の１５７)及び突起溝が除去された簡単な構造を有する。かかるダストカップ３１の開口縁部は結合リブ４３に収容される結合縁部３３を形成し、この結合縁部３３には結合スリット４５とかみ合うかみ合い突起３５が突出されている。ダストカップ３１の結合縁部３３を筒結合部１７の結合リブ４３に収容させた状態で一側方向に回転させれば、かみ合い突起３５が結合スリット４５内に収容される。これにより、ダストカップ３１をサイクロンボディ１０に着脱自在に結合可能になる。
【００２６】
一方、図４は図３の要部拡大分解断面図であり、図５は図４の結合断面図であって、本フィルター組立体の構成をさらに具体的に示す図である。本フィルター組立体５０は、これら図面に示した通り、サイクロンボディ１０の上部胴体２１に形成された排気ポート２３について回転可能なフィルター５１及びフィルター５１を回転させるフィルター回転ユニット７０で簡単に構成され得る。ここに、フィルター５１を回転可能に固定させるゴミ逆流防止板８１をさらに含むことができる。
【００２７】
ゴミ逆流防止板８１は円錐形を有し、サイクロンボディ１０の上部胴体２１と下部胴体１１との間に介在される。そのため、サイクロンボディ１０の上部胴体２１と下部胴体１１には、それぞれゴミ逆流防止用固定リブ１８、２８が突出されている。このようなゴミ逆流防止板８１により上部胴体２１と下部胴体１１に形成された内部空間が上下に区分される。ゴミ逆流防止板８１には、下部胴体１１から上部胴体２１に向かった空気の流れを許容する排気孔(図示せず)が形成されており、この排気孔にフィルター固定管８３が設けられている。
【００２８】
フィルター固定管８３の下部には、詳しく後述する通り、フィルター５１を回転自在に支持する回転支持部６１が結合される。このフィルター固定管８３はゴミ逆流防止板８１と簡単に一体に射出成形可能である。フィルター５１及びその回転支持部６１は、このようなフィルター固定管８３なしでゴミ逆流防止板８１の排気孔に結合させうる。また、フィルター５１及びその回転支持部６１は、フィルター固定管８３及びゴミ逆流防止板８１なしで上部胴体２１の排気ポート２３に結合可能なことは勿論である。
【００２９】
一方、フィルター５１は、上向きに開口された円筒形を有し、外周面に吸気グリル部５３が形成されている。ここで、吸気グリル部５３は空気に含まれた微細ホコリを自体的にフィルタリング可能な多数のフィルター孔を含んで構成可能である。しかし、さらに効果的なフィルタリングのため、図面に示した通り、吸気グリル部５３を複数の吸気口で簡単に構成し、その外面に網状のフィルタリング部材５５を設けることが望ましい。一方、フィルター５１の上向き開口は、排気ポート２３と連通する排気口を形成し吸気グリル部５３を通過しつつフィルタリングされた空気を排気させる。
【００３０】
このようなフィルター５１の外面には、やはり円筒形の回転支持部６１を設置することができる。回転支持部６１は上下開口を有し、その外周面に複数の吸気窓６３が形成されている。回転支持部６１の上側開口縁部６２は、フィルター固定管８３の下端部に結合され固定され、この際フィルター５１は固定された回転支持部６１内に収容され回転可能である。ここで、回転支持部６１は、ゴミ逆流防止板８１の排気孔またはサイクロンボディ１０の上部胴体２１の排気ポート２３に直接に固着可能なことは勿論である。
【００３１】
また、回転支持部６１には、その内周面の上下方向にブラシ部６５が設けられている。ブラシ部６５は上下方向に並んだ複数個に設けられ、吸気窓６３の間に配させることが望ましい。これらブラシ部６５はフィルター５１の外周面と接触し、これにより回転支持部６１内でフィルター５１の回転時、その外面に集積された塵埃を除去する役割を果たす。
【００３２】
一方、フィルター回転ユニット７０は、ダストカップ３１の底面から上向きに突出された作動バー７５、フィルター５１の下部に開口され作動バー７５を収容する結合部７１、及びこれら作動バー７５と結合部７１との間で相互作用可能に設けられる回転駆動部７２で構成される。作動バー７５はダストカップ３１と簡単に一体に射出成形可能であり、相互結合可能な構成を有し得る。
【００３３】
回転駆動部７２は、作動バー７５の外周面に陥没された作動グルーブ７７と、結合部７１の内周面に突出された被動突起７３で簡単に構成できる。作動グルーブ７７は作動バー７５の長手方向に沿ってスクリュー状に陥没形成される。そして、被動突起７３は作動グルーブ７７内に収容されるよう突出されている。これら作動グルーブ７７と被動突起７３は、それぞれ一つずつ備えることができるものの、図６に見られているように、一対に設けることが望ましい。これにより、結合部７１内に収容された作動バー７５が上下に昇降すれば、被動突起７３がスクリュー状の作動グルーブ７７に沿って回転し、よってフィルター５１の回転がなされる。
【００３４】
また、フィルター回転ユニット７０には、結合部７１の開口縁から下向きに延長された作動バーガイド７９をさらに含むことが望ましい。この作動バーガイド７９は下向きに延長しつつ外向きに拡径され、所定の傾斜角をなしている。このような作動バーガイド７９は結合部７１と分離された作業バー７９の容易な進入を案内する役割を果たす。
【００３５】
かかる構成を有する本フィルター組立体５０を備えるサイクロン集塵装置１では、吸入管４９内に吸い込まれたゴミ及び塵埃を含む空気が吸気ポート１３を介して斜線方向に流入される。このように流入される空気はフィルター５１を中心に旋回しつつ渦巻き気流を形成し、この際空気と共に旋回するゴミ及び大粒子の塵埃は遠心力によって分離される。ところが、ゴミ及び大粒子の塵埃が遠心分離された空気にはまだ微細なホコリが含まれている。このような微細なホコリはフィルター５１を通過しつつフィルタリングされた後、浄化された空気だけが排気ポート２３を経て排気される。
【００３６】
一方、遠心分離されダストカップ３１内に蓄積されるゴミ及び塵埃は、サイクロンボディ１０からダストカップ３１だけを簡単に取り外して除去可能である。ダストカップ３１は前述した通り、一側方向に回転させ結合スリット４５に結合されたかみ合い突起３５を解除させた後下向きに加圧して分離させうる。この際、ダストカップ３１を下向きに加圧すればフィルター５１の結合部７１内に収容された作動バー７５が下向きに移動する。すると、結合部７１に形成された被動突起７３が作動バー７５の作動グルーブ７７に沿って回転し、これによりフィルター５１の回転がなされる。
【００３７】
回転するフィルター５１は、自体的な回転力によりその外面に集積された塵埃を分離させうる。しかし、本実施例ではフィルター５１が回転支持体６１内に収容され相対回転し、この際回転支持体６１に設けられたブラシ部６５により集積された塵埃が綺麗に掃除される。このようにフィルター５１の回転により除去される塵埃はダストカップ３１内に落下して回収され、使用者は回収された塵埃を簡単に除去できる。
【００３８】
そして、塵埃を除去したダストカップ３１をサイクロンボディ１０に再び装着させる場合、作動バー７５は結合部７１に形成された作動バーガイド７９により案内される。ここで、作動バー７５を結合部７１に装着させる場合も、作動グルーブ７７と被動突起７３の相互作用によりフィルター５１は前述した逆方向に回転しつつ、再度その外面に残存する塵埃を分離させる。これにより、真空掃除機による掃除が行なわれれば、綺麗に掃除された吸気グリル部５３を通して円滑な排気がなされ得る。
【００３９】
一方、図７は本発明の他の実施例による回転駆動部を備えるフィルター組立体の断面図である。本実施例９０は、図４ないし図６と関連して前述した実施例５０と比較して、作動バー７５とフィルター５１の結合部７１に形成された回転駆動部９２が違うため、以下回転駆動部９２についてのみ説明する。
【００４０】
本実施例９０の回転駆動部９２は、作動バー７５の外面にスクリュー状に突出された作動突起９７と、フィルター５１の結合部７１に陥没された被動溝９３で構成される。被動溝９３は、結合部７１の内周面に沿って一定した傾斜角を有し、作動突起９７も被動溝９３とかみ合う傾斜を維持する。
【００４１】
これにより、作動バー７５を結合部７１に収容させて上下方向に移動させれば、その作動突起９７が結合部７１の被動溝９３に沿って移動しつつフィルター５１を回転させる。このようなフィルター５１の回転で、前述及び示した実施例５０と同様の目的及び効果を達成することができ、その説明は省略する。本実施例９０の回転駆動部９２は、前述した実施例５０と同様に作動突起９７と被動溝９３をそれぞれ１対に備えられることは勿論である。
【００４２】
一方、図８は、本発明のまた他の実施例に係る回転駆動部を備えるフィルター組立体の分解端面図である。本実施例５０’は、図４ないし図６と関連して前述した実施例５０と比べ、単に作動バー７５の外面に形成された作動グルーブ７７’状だけが相異なる。 本実施例５０’では、作動バー７５の長手方向に沿ってスクリュー状に設けられる合わせて４つの作動グルーブ７７を備える。
【００４３】
つまり、被動突起７３’が収容される作動グルーブ７７’の流入部は、作動バー７５の先端に左右１対で形成される。しかし、１対の流入部で各左右１対の作動グルーブ７７’が分岐され、合せて４つが備えられる。そして、かかる４つの作動グルーブ７７’は、作動バー７５の外面で互いに交差しながら、図からわかるように、全体的にダイヤモンド状になる。
【００４４】
かかる構成によれば、作動グルーブ７７’の流入部に進入する被動突起７３’は、対応する左右１対の作動グルーブ７７’のうちいずれの一側に沿って下向きに移動する。前述した実施例５０、９０では、結合部７１に対する作動バー７５の進入時、フィルター５１は一側方向にだけ回転し、逆に作動バー７５の後退時、他側方向に回転する過程を繰り返す。しかし、本実施例５０’では、作動バー７５の進入もしくは後退に係わらずフィルター５１は、選択された作動グルーブ７７’に沿って移動する被動突起７３’と連動して、選択されたいずれの一側方向に回転することができる。従って、フィルター５１の外面に集積される塵埃をより効果的に取除くことができる。
【図面の簡単な説明】
【００４５】
【図１】従来のフィルター掃除機構が設けられた真空掃除機のサイクロン集塵装置の縦断面図である。
【図２】図１の部分拡大斜視図であって、従来のフィルター掃除機構をさらに具体的に示す図である。
【図３】本発明に係るフィルター組立体が装着されたサイクロン集塵装置の部分断面図である。
【図４】図３の要部拡大分解断面図であって、本フィルター組立体の構成をさらに具体的に示す図である。
【図５】図４の結合断面図である。
【図６】図５のVI−VI線に沿った断面図である。
【図７】本発明の他の実施例による回転駆動部を備えるフィルター組立体の断面図である。
【図８】本発明のさらに他の実施例による回転駆動部を備えるフィルター組立体の断面図である。
【符号の説明】
【００４６】
１    サイクロン集塵装置
１０  サイクロンボディ
１１  下部胴体
１３  吸気ポート
１５  吸気側結合管
１７  筒結合部
１８、２８  ゴミ逆流防止用固定リブ
２１  上部胴体
２３  排気ポート
２５  排出側結合管
３１  ダストカップ
３３  結合縁部
３５  かみ合い突起
４１  ネジ
４５  結合スリット
４７  フレキシブル連結管
４９  吸入管
５０、５０’、９０  フィルター組立体
５１  フィルター
５３  吸気グリル部
５５  フィルタリング部材
６１  回転支持部
６２  上側開口縁部
６３  吸気窓
６５  ブラシ部
７０  フィルター回転ユニット
７１  結合部
７２、７２’、９２  回転駆動部
７３、７３’  被動突起
７５  作動バー
７７、７７’  作動グルーブ
７９  作動バーガイド
８１  ゴミ逆流防止板
８３  フィルター固定管
９３  被動溝
９７  作動突起
【図１】
2004275720.tif 000003
【図２】
2004275720.tif 000004
【図３】
2004275720.tif 000005
【図４】
2004275720.tif 000006
【図５】
2004275720.tif 000007
【図６】
2004275720.tif 000008
【図７】
2004275720.tif 000009
【図８】
2004275720.tif 000010